(57)【要約】【課題】成形機から取り出した樹脂製のワークを加工する一連の作業を容易、かつ正確に連続的に短時間で行えるワーク取り出し仕上げ装置を提供する。【解決手段】成形機４１から取り出される樹脂製のワークを加工するワーク取り出し仕上げ装置において、前記ワークを前記金型２，３から直接又は間接で取り出すワーク取り出しロボット１００と、前記ワークを加工する加工ロボット２００とを備え、前記加工ロボット２００のアーム先端にはフローティング機構を介して前記ワークの熱収縮に対応すべく倣いが可能な加工具が取り付けられ、前記ワーク取り出しロボット１００で取り出したワークを当該ワーク取り出しロボット１００で位置決めして保持した状態で、前記加工ロボット２００のアーム先端２００Ａに設けた前記倣いが可能な加工具により前記ワークを保持したまま加工可能とした。【選択図】図１
2012218192.tif 000002
【特許請求の範囲】
【請求項１】
成形機から取り出される樹脂製のワークを加工するワーク取り出し仕上げ装置において、前記ワークを前記成形機から直接又は間接で取り出すワーク取り出しロボットと、前記ワークを加工する加工ロボットとを備え、前記加工ロボットのアーム先端にはフローティング機構を介して前記ワークの熱収縮に対応すべく倣いが可能な加工具が取り付けられ、前記ワーク取り出しロボットで取り出したワークを当該ワーク取り出しロボットで位置決めして保持した状態で、前記加工ロボットのアーム先端に設けた前記倣いが可能な加工具により前記ワークを加工可能としたことを特徴とするワーク取り出し仕上げ装置。
【請求項２】
前記成形機が金型からワークを取り出す取り出し機構を備え、前記取り出し機構で搬送されたワークを前記ワーク取り出しロボットが受け取ることを特徴とする請求項１に記載のワーク取り出し仕上げ装置。
【請求項３】
前記取り出し機構に沿って製品押さえを配置し、前記製品押さえでワークを押さえた状態で、ワークを前記ワーク取り出しロボットが取り出すことを特徴とする請求項２に記載のワーク取り出し仕上げ装置。
【請求項４】
前記ワーク取り出しロボットによる保持面と反対側の面を前記加工ロボットが加工した後のワークを載置する型治具を備え、この型治具で保持した状態で、前記保持面を前記加工ロボットが加工することを特徴とする請求項１乃至３のいずれか一項に記載のワーク取り出し仕上げ装置。
【請求項５】
前記加工ロボットによるワークの加工位置に端材回収手段を設け、前記端材回収手段とは別の位置に、ワークの製品回収手段を設け、ワークの加工後に前記ワーク取り出しロボットにより当該ワークを製品回収手段に移送することを特徴とする請求項１乃至４のいずれか一項に記載のワーク取り出し仕上げ装置。
【発明の詳細な説明】
【技術分野】
【０００１】
本発明は、成形機で成形されたワークを自動で取り出し加工・仕上げする一連の作業を容易、かつ正確に行えるワーク取り出し仕上げ装置に関する。
【背景技術】
【０００２】
一般に、樹脂成形などにおいては、成形後のワークを成形機内の金型から取り出して、このワークの端材やバリなどを加工具により除去して製品化することが知られている。従来では、ワークを作業者が成形機内の金型から取り出して、手作業でバリ取りなどを行うか、または、ワークの温度が常温程度まで低下し、寸法変化が収束した後に、ワークを型治具にセットし、例えば、多関節ロボットに超音波カッタを取り付けた切断装置（例えば、特許文献１参照）などにより、ワークの端材やバリなどを除去するのが一般的である。
【先行技術文献】
【特許文献】
【０００３】
【特許文献１】国際公開ＷＯ２００７／０３９９７８号公報
【発明の概要】
【発明が解決しようとする課題】
【０００４】
従来では、ワークを成形後に金型から取り出した後、台や治具などに置いて後工程の加工・仕上げを行っていた。しかし、この手法は、タクトタイムが掛かり、一製品一型治具となり、型治具が高価であると同時に、型治具の段取り替えが必要になっていた。更に、成形品を冷却し寸法変化が収束した後に加工する専用機が必要となっていた。成形直後のワークは熱収縮があり、時間と共に寸法が変化するため自動化が困難なためである。製品仕上げを人手によるバリ取りやトリミングで行っていたため、製品品質が安定せず、ワークの高温時に人手が介在することから火傷などの災害の問題があった。同様に、人手の作業が介在すると、休憩などにより、金型による成形を停止する必要があり、製品を安定させるためのテストショットが再度必要となり、余分な時間と共に、余分なコストが発生していた。
そこで、本発明の目的は、上述した従来の技術が有する課題を解消し、成形機から取り出した樹脂製のワークを加工する一連の作業でワークを保持したまま容易、かつ正確に連続的に短時間で行えるワーク取り出し仕上げ装置を提供することにある。
【課題を解決するための手段】
【０００５】
本発明は、成形機で成形されたワークを自動で取り出し加工・仕上げするワーク取り出し仕上げ装置において、前記ワークを前記成形機から直接又は間接で取り出すワーク取り出しロボットと、前記ワークを加工する加工ロボットとを備え、前記加工ロボットのアーム先端にはフローティング機構を介して前記ワークの熱収縮に対応すべく倣いが可能な加工具が取り付けられ、前記ワーク取り出しロボットで取り出したワークを当該ワーク取り出しロボットで位置決めして保持した状態で、前記加工ロボットのアーム先端に設けた前記倣いが可能な加工具により前記ワークを加工・仕上げ可能としたことを特徴とする。
本発明では、ワーク取り出しロボットがワークを成形機から取り出すと共に、このワーク取り出しロボットで位置決めして保持した状態で、加工ロボットのアーム先端に設けた加工具によりワークを加工し、しかも、この加工具はフローティング機構により前記ワークの熱収縮に対応して、倣い加工が可能に構成されているため、熱収縮でワーク外形が収縮する事態にあっても、ワークの加工が可能であり、成形機から取り出した樹脂製のワークを加工・仕上げする一連の作業を容易、正確にかつ連続的に短時間で行える。
【０００６】
この場合において、前記成形機がブロー成形機であり、前記ブロー成形機がワーク取り出し機構を備え、前記取り出し機構で搬送したワークを前記ワーク取り出しロボットが受け取ってもよい。
前記取り出し機構に沿って製品押さえを配置し、前記製品押さえでワークを押さえた状態で、ワークを前記ワーク取り出しロボットが取り出してもよい。
前記成形機が射出成形機であり、前記成形機に前記ワーク取り出しロボットのアーム先端が進入し、前記ワーク取り出しロボットが前記ワークを取り出してもよい。
【０００７】
前記ワーク取り出しロボットによる保持面と反対側の面を前記加工ロボットが加工した後のワークを載置する型治具を備え、この型治具で保持した状態で、前記保持面を前記加工ロボットが加工してもよい。
前記加工ロボットのアーム先端に取り付けられ、振動子で振動してワークの直線部或いは曲線部を切断可能とするカッタ刃を備えてもよい。
前記加工ロボットによるワークの加工位置に端材回収手段を設け、前記端材回収手段とは別の位置に、ワークの製品回収手段を設け、ワークの加工後に前記ワーク取り出しロボットにより当該ワークを製品回収手段に移送してもよい。
【発明の効果】
【０００８】
本発明では、ワーク取り出しロボットがワークを成形機から取り出すと共に、このワーク取り出しロボットで位置決めして保持した状態で、加工ロボットのアーム先端に設けた加工具によりワークを加工し、しかも、この加工具はフローティング機構により前記ワークの熱収縮に対応して倣い加工が可能に構成されているため、熱収縮でワーク外形が収縮しても、ワークの加工が可能であり、成形機から取り出した樹脂製のワークを加工する一連の作業を容易、かつ正確に連続的に短時間で行える。
【図面の簡単な説明】
【０００９】
【図１】本実施の形態によるワーク取り出し仕上げ装置の平面図である。
【図２】同側面図である。
【図３】ワーク取り出しロボットの動作説明図である。
【図４】加工具を示す側面図である。
【図５】同正面図である。
【図６】加工具を示す斜視図である。
【図７】別実施の形態による加工具を示す斜視図である。
【図８】別実施の形態によるワーク取り出し仕上げ装置を示す平面図である。
【図９】別実施の形態によるワーク取り出し仕上げ装置を示す平面図である。
【図１０】ワーク取り出しロボットの動作説明図である。
【図１１】別実施の形態によるワーク取り出し仕上げ装置を示す平面図である。
【図１２】ワーク取り出しロボットの動作説明図である。
【発明を実施するための形態】
【００１０】
以下、本発明の一実施の形態を添付の図面を参照して説明する。
図１は、本実施の形態によるワーク取り出し仕上げ装置を示す。
一般的に、仕上げ加工が完了するまでは半製品であり、仕上げ加工が完了した後は、完成品と呼称されるが、本明細書では、説明上の便宜のため、半製品および完成品を、共に、ワークと呼称するものとする。
本ワーク取り出し仕上げ装置は、ブロー成形機４１によるブロー成形直後に成形機内の金型２，３から取り出された樹脂製のワークに付随したバリの除去や、トリミングや、穴開け加工・仕上げなどを行う装置であり、ワーク取り出しロボット１００と、加工ロボット２００とを備えて構成されている。
成形機内の金型２，３から取り出されたワークは、ワーク取り出しロボット１００がそのまま位置決めした状態で保持し、ワークがブロー成形直後に加工ロボット２００のアーム先端２００Ａに設けた加工具により加工される。
【００１１】
上記ブロー成形機１は、成形機内に一対の金型２，３を備え、一対の金型２，３内にパリソンを充填して、当該パリソン内に空気をブローすることにより、製品がブロー成形される。このブロー成形後には、一対の金型２，３が矢印方向に開かれて、金型２，３から取り出し機構４を介してワークが取り出される。
この取り出し機構４は、図２に示すように、一対の金型２，３の上方に沿うレール５に対しチェーン駆動などによる搬送手段６が掛け渡されており、この搬送手段６により例えばワーク４０が吊り下げられた状態で図中左方へ搬送される。ワーク４０は成形直後の高温の状態にあり、製品（例えば樹脂製容器。）となる本体４０Ａの周囲に、金型２，３のパーテーションラインに沿う大きなバリ４０Ｂが形成され、バリ４０Ｂが搬送手段６で吊り下げられて搬送される。
【００１２】
上記取り出し機構４に沿って製品押さえ７が配置されている。この製品押さえ７は、図１に示すように、シリンダ７Ａと、シリンダ７Ａのロッド先端に固定された押さえバー７Ｂと、複数のガイドロッド７Ｃとを備えている。ワーク４０が取り出し機構４で吊り下げられて製品押さえ７の位置に搬送されると、シリンダ７Ａの駆動により押さえバー７Ｂが突出し、押さえバー７Ｂとワーク４０が当接する。
ついで、図３に示すように、ワーク取り出しロボット１００が駆動されて、そのアーム先端１００Ａが製品押さえ７位置のワーク４０に対向し、アーム先端１００Ａの吸着プレート１００Ｂと、押さえバー７Ｂとの間にワーク４０が挟まれ、吸着プレート１００Ｂの吸盤（不図示）によりワーク４０が吸着され保持される。
【００１３】
ワーク取り出しロボット１００は、アーム先端１００Ａの吸着プレート１００Ｂにワーク４０を吸着保持した後、駆動されて、図１に示すように、ワーク４０を端材コンベア１０上、又は、切り屑回収箱１１上のワーク加工位置に移動する。
このときには、後述する加工ロボット２００の加工作業が容易になるように、ワーク４０の加工面が加工ロボット２００に向けて移動される。
端材コンベア１０、及び切り屑回収箱１１は、ワーク取り出しロボット１００、及び加工ロボット２００の各動作範囲の重複範囲Ｔ内に設置されている。端材コンベア１０上でワーク４０が加工されると、端材が端材コンベア１０上に落下し、端材コンベア１０を介して例えばクラッシャー（不図示）に移送される。また、切り屑回収箱１１上でワーク４０が加工されると、端材が切り屑回収箱１１に落下する。大きな端材は、クラッシャー（不図示）に移送して端材処理に回すが、小さな切り屑はクラッシャー（不図示）を壊す恐れがあるため、切り屑回収箱１１に回収して処理する。
【００１４】
ワーク取り出し仕上げ装置では、上述したように、ワーク取り出しロボット１００がワーク４０を位置決めして保持した状態で、加工ロボット２００によりワーク４０の加工が行われる。ワーク４０の加工時に、ブロー成形完了から時間が殆ど経過しておらず、ワーク４０は冷却されておらず、高温の状態にある。
加工ロボット２００は、一般的な６軸垂直多関節ロボットであり、図４及び図５に示すように、そのアーム先端２００Ａには、エア駆動付きスライドテーブル２１が取り付けられ、スライドテーブル２１にはスライド部２３が設けられている。このスライド部２３は一対のエア供給口（図示せず）に印加されるエア圧力のバランスに依存して、その位置が矢印Ａ方向に移動自在、すなわち、ワーク４０に対してフローティング状態となるようにされたフローティング機構として構成されている。
各エア供給口（図示せず）に印加されるエア圧力は、両者のバランスを取れるように独立して制御可能であり、ツール姿勢に起因してツール重量が負荷となるときには、このツール重量をキャンセルすべく各エア供給口に印加される圧力を、ツール姿勢に応じて自動調整できる。ワーク４０に対しフローティング状態のスライド部２３には、超音波振動子ホルダ２５が取り付けられ、この超音波振動子ホルダ２５には超音波振動子２７が取り付けられている。
【００１５】
超音波振動子２７の支持ホーン２７Ａの先端には、図５に示すように、カッタ刃２９が固定されている。このカッタ刃２９は、超音波振動子２７の振動に応じてカッタ刃２９の送り方向（矢印Ｂ方向）とほぼ直交する方向（矢印Ｃ方向）に超音波振動する。超音波振動子２７には超音波ユニット（図示せず）が接続され、当該超音波ユニットで駆動される。尚、超音波振動子２７に限定されず、振動体または振動機構でもよい。
カッタ刃２９は、図６に示すように、前端面２９Ｆおよび後端面２９Ｒを有し、ワーク４０（例えば介護用ベッド部品、コピー機部品、ツールボックス、保温樹脂ボックス、自動車用エアスポイラー、自動車用内装部品、家電製品の樹脂部品など）の例えばパーティングライン４４に形成されたバリ４０Ｂの基部（根元）に当接する。
この場合において、前端面１０Ｆの後退角φは適宜設定するが、およそ１０゜程度に設定される。カッタ刃２９は、バリ４０Ｂの根元に対応した例えば幅数ｍｍ程度の切れ刃部２９Ａと、ワーク４０の各面部４３Ａ，４３Ｂに対応した切れ刃を構成しない曲面状の倣い部２９Ｂとを、カッタ刃本体部２９Ｃの前端面２９Ｆ側に備えて構成されている。この場合、切れ刃部２９Ａの幅Ｗは０．６〜１ｍｍ程度が一般的であるが、ワーク４０に形成されたバリの形状などに応じて適宜変更が可能である。
【００１６】
図１を参照し、加工ロボット２００の動作範囲内には、センサー１３０が設置されている。このセンサー１３０は、例えばタッチセンサーであって、加工ロボット２００の制御装置（不図示）に接続されており、センサー１３０から接触検出の信号が入力されると、制御装置（不図示）が瞬時に加工ロボット２００を停止させる。センサー１３０はタッチセンサーのほか、押し込み量に応じて出力が可変するセンサーでもよい。
制御装置（不図示）は、所定のプログラムに従って、工具先端がセンサー１３０に接近・接触するよう加工ロボット２００の動作を制御するほか、上記所定のプログラムにおける工具の基準座標を記憶しており、工具先端がセンサー１３０に接触して加工ロボット２００が停止するたびに、基準座標と実際の工具先端の座標とを比較して、基準座標と実際の工具先端の座標とのずれ量が、許容値以内であるか否かを判定する。
【００１７】
この基準座標は、例えば、工具交換直後に、上記所定のプログラムにしたがって加工ロボット２００を動作させた際に、センサー１３０が工具先端の接触を検出して加工ロボット２００が停止したときの工具先端の座標である。また、上記判定タイミングは、製品を加工するサイクルで少なくとも一回は行うとよい。
なお、制御装置（不図示）には、ランプやスピーカー等の警報信号出力装置が接続されており、基準座標と工具先端の座標とのずれ量が許容値を超えている場合には、工具交換を促す警報信号が出力される。
あるいは、ワーク取り出し仕上げ装置が、自動で刃物の交換を行う工具自動交換装置を備え、基準座標と工具先端の座標とのずれ量が許容値を超えている場合には、刃物を自動交換するプロセスへ移行する構成であってもよい。
【００１８】
この実施の形態では、加工ロボット２００でワーク４０の加工（例えば、バリ取り加工。）が行われるとき、図１に示すように、ワーク取り出しロボット１００がワーク４０を位置決めして保持する。即ち、ワーク取り出しロボット１００がワーク４０を位置決めして保持した状態で、図６に示すように、加工ロボット２００のアーム先端２００Ａに設けた加工具としてのカッタ刃２９によりワーク４０が加工される。
本実施の形態では、加工ロボット２００のアーム先端２００Ａにフローティング状態のスライド部２３が設けられ、スライド部２３に超音波振動子ホルダ２５、超音波振動子２７を介してカッタ刃２９が取り付けられるため、例えば、ワーク４０の形状が熱収縮などにより変化しても、フローティング機構によりカッタ刃２９がワーク４０の形状変化に倣うことが可能となり、成形機内の金型２，３から取り出したブロー成形直後の高温状態にあるワーク４０であっても精度良い加工を行うことができる。
この構成では、所謂加工具がフローティング機構により前記ワーク４０の熱収縮に対応して倣い加工が可能に構成されているため、熱収縮でワーク外形が収縮しても、ワークの加工が可能であり、金型２，３から取り出した樹脂製のワーク４０を加工する一連の作業を容易、かつ正確に連続的に短時間で行える。
【００１９】
さて、ワーク取り出しロボット１００、及び加工ロボット２００の一連の作業は、６軸垂直多関節ロボットへのティーチングにより実行される。このティーチングには、オペレータが実際に一度ないし数度、６軸垂直多関節ロボットのアームを動かしてアームの移動経路に相当する経路情報を記憶させるダイレクトティーチングや、ＣＡＤシステムなどの設計システムで作成した形状情報を利用して自動的に経路情報を生成する経路自動生成システムが考えられる。
樹脂成形品の場合には、ダイレクトティーチングあるいは経路自動生成システムにより得られる経路情報は、実際の加工対象となるワーク４０の大きさにバラツキがあるため、必ずしも正しい経路とはならない。
とくに本実施の形態では、上述したように成形機内の金型２，３から取り出されるワーク４０がかなり高温であり、冷却せずに高温のまま加工ロボット２００が加工を実行するため、加工の最中にワーク４０が熱収縮し、例えば７００ｍｍの大きさのワークに対し２０ｍｍ程度の熱収縮が起こり、この熱収縮も影響して各ワーク４０に対して必ずしも正しい経路とはなり得ない。
【００２０】
本実施の形態では、上述したように、加工ロボット２００がスライド部２３を用いたフローティング機構を有し、このフローティング機構による倣い制御を行っているため、樹脂成形直後の熱収縮によるワーク４０の外形収縮のみならず、製品のばらつきによる「ずれ」を吸収でき、ワーク取り出しロボット１００、及び加工ロボット２００による一連の加工作業を正確にかつ円滑に実現できる。
また、ワーク取り出しロボット１００に対する加工ロボット２００の姿勢が変化し、ワーク４０に対するカッタ刃２９の姿勢が変化しても、カッタ刃２９に倣い部２９Ｂが形成されているため、切れ刃部２９Ａがワーク４０に食い込むことがなく正確にかつ円滑な加工（バリ取り加工）が行われる。尚、従来において、金型２，３の設計時には樹脂製品の縮み代を考慮した大きさとなるように、金型の設計が行われている。この考え方を反映させ、加工ロボット２００のティーチングに際し、樹脂製品の縮み代を考慮したティーチングを行うことも可能である。
ワーク４０の収縮や変形が、上記スライド部２３の許容差より大きい場合などには、図示を省略したセンサーやカメラなどによりワーク４０の収縮や変形を検知し、該スライド部２３の範囲内にワーク４０を位置させるようにすれば、ワーク４０に食い込むことなく正確にかつ円滑に倣い加工ができる。
【００２１】
ワークの加工後には、ワーク取り出しロボット１００が動作し、端材コンベア１０又は切り屑回収箱１１の上方のワーク加工位置から製品排出シュート５１の上に移送し、吸着プレート１００Ｂの吸盤（不図示）による吸着を解除し、ワーク４０を製品排出シュート５１内に落下させて製品回収される。尚、製品によって排出の仕方は種々提案できる。例えば外面に傷が付いてもよいとき、上述の製品排出シュート５１により回収すればよく、製品通箱に並べて管理するときには、ワーク取り出しロボット１００が直接通箱に整列させて並べるようにしてもよい。
上述の一連のワーク加工作業が終了すると、ワーク取り出しロボット１００は、ワーク４０を取り出せる状態となり、取り出し機構４に沿う製品押さえ７の近傍に移動し、つぎの成形サイクル完了後に取り出し機構４で吊り下げられてワーク４０が金型２，３から所定位置に搬送されるまで待機する。
【００２２】
上記端材には、例えば大きな端材、或いは小さな端材、更には細かい切り屑などが混在する。樹脂加工では回収した端材を再利用することが頻繁に行われ、しかも、樹脂の端材の大きさで再利用の仕様が異なることがある。
このときには、図示は省略したが、ワーク取り出しロボット１００及び加工ロボット２００の動作範囲の重複範囲Ｔ内に、複数の端材コンベア１０を設置する。例えば、大きな端材がでるとき、第１の端材コンベア（不図示）上に、ワーク４０を吸着したワーク取り出しロボット１００を移動させ、第１の端材コンベア上の加工位置で、加工ロボット２００で加工を行い、小さな端材がでるとき、例えば第２の端材コンベア（不図示）上にワーク取り出しロボット１００を移動させ、第２の端材コンベア上の加工位置で加工ロボット２００により加工を行い、細かい切り屑がでるとき、切り屑回収箱１１上にワーク取り出しロボット１００を移動させ、切り屑回収箱１１上の加工位置で加工ロボット２００により加工を行えばよい。
【００２３】
本実施の形態では、ワーク取り出しロボット１００がワークを保持した状態で、加工ロボット２００がワークを加工するため、各ロボット１００，２００の移動により、所謂ワーク４０の加工位置を任意の位置に容易に変更できる。
従って、例えば端材コンベア１０上の加工位置で加工することで大きな端材を端材コンベア１０に移送して、クラッシャー（不図示）に移送して端材処理に回すと共に、細かい切り屑はクラッシャー（不図示）を壊す恐れがあるため、切り屑回収箱１１に回収して処理するなど、端材を所謂分別回収できる。
加工時に、ワーク４０が大きく、ワーク４０の下部と上部とで端材を切り分ける場合には、切り離した端材が、ワーク取り出しロボット１００のアームに干渉しないように、ワーク４０を回転させて端材を落下させればよい。
このとき、ワーク取り出しロボット１００は、加工ロボット２００がワーク４０を加工し易い位置に当該ワーク４０を位置させるように、逐次姿勢制御され、最適な作業範囲に位置付けられる。
【００２４】
上記構成においては、ワーク取り出しロボット１００がワーク４０を吸着保持するため、ワーク取り出しロボット１００による保持面（吸着面）は加工ロボット２００により加工することができない。
この場合には、まず、加工ロボット２００により保持面（吸着面）と反対側の面が加工され、ついで、加工後のワークがワーク取り出しロボット１００により型治具５５（図１参照。）上に移送され、型治具５５上に載置される。型治具５５は、図１に示すように、重複範囲Ｔ内の切り屑回収箱１１の例えば内側に配置されている。型治具５０は中空体であり、図示は省略したが、表面に吸着孔が開口し、型治具５０の表面に空気の漏洩を防止するパッキンを介してワーク４０が載置され、吸着孔（不図示）から吸引されてワーク４０が型治具５５上に吸引固定される。
そして、型治具５５にワーク４０を固定した状態で、ワーク４０の保持面（吸着面）を加工ロボット２００により加工できる。この加工時の端材は、切り屑回収箱１１（または上記端材コンベア１０）を介して回収される。
【００２５】
図７は、上記加工具の別実施の形態を示す。
この加工具は、取り付け状態は図示を省略したが、加工ロボット２００のアーム先端２００Ａに取り付けられる。この加工具は接続アーム１８を有し、接続アーム１８にはスピンドルユニット３１が固定されている。このスピンドルユニット３１は主軸（スピンドル）３２を有し、主軸３２の先端にはチャック３４が取り付けられ、チャック３４にはエンドミル３５が取り付けられている。主軸３２は主軸モータを含み、主軸モータは小径かつ軽量ながらも、最高回転数２０，０００ｒｐｍ以上を得ることが可能なモータであり、とくに望ましくは、４０，０００〜８０，０００ｒｐｍの超高速回転が可能な高周波モータが用いられる。また、接続アーム１８には支持ブロック３６を介して超音波振動装置３７が取り付けられている。この超音波振動装置３７は超音波振動子３８および支持ホーン３９を有し、支持ホーン３９には上記の構成とほぼ同様に構成されたカッタ刃１２９が取り付けられている。このカッタ刃１２９には、図示は省略したが、切れ刃部と、倣い部とが一体に形成されている。
【００２６】
カッタ刃１２９は、成形品の加工においては、直線のトリミング、曲率の小さな曲線（立体曲線を含む）のトリミング、所定直径以上（直径８ｍｍ以上）の穴あけを行う。また、エンドミル３５は、例えば、多様な穴あけに対応可能な直径２ｍｍ程度のエンドミルであり、切れ味を向上させて切削抵抗および切削熱を抑制できるように、大きく正のすくい角を持たせてある。さらに切削屑を先端方向に排出するように逆リードに構成してもよい。このエンドミル３５は、成形品の加工においては、曲率の大きな曲線のトリミングおよび所定直径未満（直径８ｍｍ未満）の孔の孔あけを行う。曲率が大きい場合、カッタ刃２６では、刃折れが生じやすく、曲率の大きな曲線のトリミングや所定直径未満（直径８ｍｍ未満）の孔の穴あけが困難だからである。
【００２７】
上記加工具は、図４，図５，図７に示す加工具に限定されない。例えば、本出願人が、既に特許出願して出願公開されている、倣い部を有したエンドミルや、スクレイパーを負のすくい角でワーク表面に押し当てながら、ロボット操作する面取り工具などでもよい。これら工具は、ワーク取り出しロボット１００がワーク４０を位置決めした状態で、加工ロボット２００がワーク４０の加工を行う際に、工具がワーク４０に食い込むことがなく、精度よく仕上げられる。
【００２８】
図８は、別の実施の形態を示す。尚、図８では、図１〜図３と同一部分には同一符号を付して示し、説明を省略する。本実施の形態によれば、加工ロボット２００が複合型多関節の作業ロボットで構成されている。加工ロボット２００は双腕型ロボットで、それぞれ独立して機能する２台のロボットを一体に組み合わせたもので、それぞれの動作を一元的にコントロールできるようになっている。例えば、ワークが大きく、加工ロボット２００による加工時間が長くかかる一方で、成形機による成形サイクルタイムが短い場合などには、加工ロボットを複数台配置し、協調作業を行うことによって、成形機による所謂成形サイクルに見合った加工作業を実現できる。この構成では、ワークの成形サイクルに合わせて加工スピードを向上できる。
【００２９】
図９は、別の実施の形態を示す。尚、図９では、図１〜図３と同一部分には同一符号を付して示し、説明を省略する。本実施の形態では、ワーク取り出しロボット１００により、ワークが、射出成形機６１の金型６２から直接的に取り出される。この金型６２は、上下に分割される構成となっており、射出による樹脂成形が完了すると、下型を基準に上型が上方へ離間し、下型側にワーク（成形品）が残る。ワークはイジェクトピン（不図示）で押し上げてもよい。この状態で、図１０に示すように、ワーク取り出しロボット１００のアーム先端１００ａが、上型と下型間に進入して、アーム先端１００ａの吸着プレート１００Ｂによりワークが吸着保持される。
そして、ワーク取り出しロボット１００が動作し、図９に示すように、端材コンベア１０上の加工位置にワークが移送され、この加工位置で上記実施の形態と同様の手順で、加工ロボット２００による加工が行われる。
【００３０】
図１１は、別の実施の形態を示す。尚、図１１では、図９，図１０と同一部分には同一符号を付して示し、説明を省略する。この実施の形態では、ブロー成形機４１によるブロー成形後に、金型２，３から取り出された樹脂製のワーク４０のバリ取りや、トリミングや、穴開け加工する装置として説明する。
この構成では、ワーク取り出しロボット１００と加工ロボット２００とが複合型多関節の作業ロボットで構成され、図示の例では、切り屑回収箱１１上の加工位置でワーク取り出しロボット１００が保持したワーク４０を加工ロボット２００が加工し、切り屑が切り屑回収箱１１に落下する。
この複合型多関節ロボットは、切り屑回収箱１１上のみならず、端材コンベア１０上も加工位置とされ、このとき、端材は端材コンベア１０に落下し、クラッシャー（不図示）に移送されて端材処理される。
【００３１】
上記ブロー成形機１は、一対の金型２，３内にパリソンを充填し、当該パリソン内に空気をブローすることにより、製品がブロー成形される。ブロー成形後には、一対の金型２，３が開かれ、図１２に示すように、ワーク取り出しロボット１００のアーム先端１００Ａが、金型２，３間に進入し、吸着プレート１００Ｂにより直接ワーク４０を吸着保持する。そして、ワーク取り出しロボット１００が、図１１に示すように、ワーク４０を切り屑回収箱１１（又は端材コンベア１０）上のワーク加工位置に移送する。このとき、加工ロボット２００の加工作業が容易になるようにワーク加工面が加工ロボット２００に向けて固定される。そして、この加工位置で上記形態と同様の手順で、加工ロボット２００による加工が行われる。
この実施の形態では、ワーク取り出しロボット１００と加工ロボット２００とが複合型多関節の作業ロボットで構成されるため、作業ロボットの動作範囲内で加工が行われることとなり、省スペース化が図れる。
【符号の説明】
【００３２】
２，３  金型
４  取り出し機構
７  製品押さえ
１０  端材コンベア
１１  切り屑回収箱
Ｔ  重複範囲
４０  ワーク
４１  ブロー成形機
５５  型治具
６１  射出成形機
１００  ワーク取り出しロボット
２００  加工ロボット
【図１】
2012218192.tif 000003
【図２】
2012218192.tif 000004
【図３】
2012218192.tif 000005
【図４】
2012218192.tif 000006
【図５】
2012218192.tif 000007
【図６】
2012218192.tif 000008
【図７】
2012218192.tif 000009
【図８】
2012218192.tif 000010
【図９】
2012218192.tif 000011
【図１０】
2012218192.tif 000012
【図１１】
2012218192.tif 000013
【図１２】
2012218192.tif 000014
【手続補正書】
【提出日】平成24年2月2日(2012.2.2)
【手続補正１】
【補正対象書類名】特許請求の範囲
【補正対象項目名】全文
【補正方法】変更
【補正の内容】
【特許請求の範囲】
【請求項１】
成形機から取り出される樹脂製のワークを加工するワーク取り出し仕上げ装置において、前記ワークを前記成形機から直接又は間接で取り出すワーク取り出しロボットと、前記ワークを加工する加工ロボットとを備え、前記ワーク取り出しロボットがワークの加工位置を変更しつつ、前記加工ロボットがワークを加工し、前記加工ロボットのアーム先端にはフローティング機構を介して前記ワークの熱収縮に対応すべく倣いが可能な加工具が取り付けられ、前記ワーク取り出しロボットはワークの加工面を前記加工ロボットに向けて移動させ、前記加工ロボットがワークを加工し易い位置にワークを位置させるように逐次姿勢制御され、前記ワーク取り出しロボットで取り出したワークを当該ワーク取り出しロボットで位置決めして保持した状態で、前記加工ロボットのアーム先端に設けた前記倣いが可能な加工具により前記ワークを加工可能としたことを特徴とするワーク取り出し仕上げ装置。
【請求項２】
前記成形機が金型からワークを取り出す取り出し機構を備え、前記取り出し機構で搬送されたワークを前記ワーク取り出しロボットが受け取ることを特徴とする請求項１に記載のワーク取り出し仕上げ装置。
【請求項３】
前記取り出し機構に沿って製品押さえを配置し、前記製品押さえでワークを押さえた状態で、ワークを前記ワーク取り出しロボットが取り出すことを特徴とする請求項２に記載のワーク取り出し仕上げ装置。
【請求項４】
前記ワーク取り出しロボットによる保持面と反対側の面を前記加工ロボットが加工した後のワークを載置する型治具を備え、この型治具で保持した状態で、前記保持面を前記加工ロボットが加工することを特徴とする請求項１乃至３のいずれか一項に記載のワーク取り出し仕上げ装置。
【請求項５】
前記加工ロボットによるワークの加工位置に端材回収手段を設け、前記端材回収手段とは別の位置に、ワークの製品回収手段を設け、ワークの加工後に前記ワーク取り出しロボットにより当該ワークを製品回収手段に移送することを特徴とする請求項１乃至４のいずれか一項に記載のワーク取り出し仕上げ装置。
【手続補正２】
【補正対象書類名】明細書
【補正対象項目名】０００５
【補正方法】変更
【補正の内容】
【０００５】
本発明は、成形機から取り出される樹脂製のワークを加工するワーク取り出し仕上げ装置において、前記ワークを前記成形機から直接又は間接で取り出すワーク取り出しロボットと、前記ワークを加工する加工ロボットとを備え、前記ワーク取り出しロボットがワークの加工位置を変更しつつ、前記加工ロボットがワークを加工し、前記加工ロボットのアーム先端にはフローティング機構を介して前記ワークの熱収縮に対応すべく倣いが可能な加工具が取り付けられ、前記ワーク取り出しロボットはワークの加工面を前記加工ロボットに向けて移動させ、前記加工ロボットがワークを加工し易い位置にワークを位置させるように逐次姿勢制御され、前記ワーク取り出しロボットで取り出したワークを当該ワーク取り出しロボットで位置決めして保持した状態で、前記加工ロボットのアーム先端に設けた前記倣いが可能な加工具により前記ワークを加工可能としたことを特徴とする。
本発明では、ワーク取り出しロボットがワークを成形機から取り出すと共に、このワーク取り出しロボットで位置決めして保持した状態で、加工ロボットのアーム先端に設けた加工具によりワークを加工し、しかも、この加工具はフローティング機構により前記ワークの熱収縮に対応して、倣い加工が可能に構成されているため、熱収縮でワーク外形が収縮する事態にあっても、ワークの加工が可能であり、成形機から取り出した樹脂製のワークを加工・仕上げする一連の作業を容易、正確にかつ連続的に短時間で行える。